【事件の表示】
　特許第３２０９３５５号「パンツ型使い捨ておむつ」の請求項１ないし３に係る特許に対する特許異議の申立てについて、次のとおり決定する。
【結　論】
　訂正を認める。
　特許第３２０９３５５号の請求項１及び２に係る特許を維持する。
【理　由】
Ｉ　手続の経緯
　
　特許第３２０９３５５号の請求項１及び２に係る発明についての手続の経緯は、およそ次のとおりである。
（１）特許出願　平成４年１月１７日
（２）特許権の設定の登録　平成１３年７月１３日
（３）特許掲載公報の発行　平成１３年９月１７日
（４）特許異議申立人友野宏（以下、「異議申立人甲」という。）より特許異議の申立て　平成１４年３月１５日
（５）特許異議申立人鈴木朋子（以下、「異議申立人乙」という。）より特許異議の申立て　平成１４年３月１８日
（６）特許の取消理由の通知　平成１４年９月２７日（発送日）
（７）訂正請求　平成１４年１１月２５日
（８）特許異議意見書の提出　平成１４年１１月２６日
　
ＩＩ　訂正請求について
　
１　訂正事項
　本件訂正請求は、特許第３２０９３５５号発明の願書に添付した明細書を訂正明細書のとおりに訂正することを求めるものであり、訂正事項は次のア〜ウのとおりである。
　ア　特許請求の範囲の記載について、
「【請求項１】
　液透過性の表面シートと、液不透過性の防漏シートと、これら両シート間に位置する吸収体とを有し、着用者のウエスト周囲に位置する前後のウエスト部が左右両端でそれぞれ接合固定されたパンツ型使い捨ておむつにおいて、
　上記吸収体の長手方向側縁の外側に位置し、着用者の脚部を実質的に連続して囲む左右一対の第１レッグギャザーと、
　該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、
　上記吸収体の吸収容量が３００ｇ／枚以上であり、
　一対の上記第２レッグギャザーは、それぞれ、帯状シートとその先端部に配置された弾性部材とにより構成されており、該帯状シートの一側縁部全体が上記表面シートに固定され、他側縁部全体に該弾性部材が張設されて形成されており、該帯状シートは、その表面が疎水化されており、
　上記吸収体の厚みが５ｍｍ以下であり、且つ上記第２レッグギャザーの高さが２０〜５０ｍｍであることを特徴とするパンツ型使い捨ておむつ。
　【請求項２】上記第２レッグギャザーが着用者の脚部を実質的に連続して囲むことを特徴とする請求項１に記載のパンツ型使い捨ておむつ。
　【請求項３】上記前後のウエスト部には、ギャザーが形成されていることを特徴とする請求項１又は２記載のパンツ型使い捨ておむつ。」
を、
「【請求項１】
　液透過性の表面シートと、液不透過性の防漏シートと、これら両シート間に位置する吸収体とを有し、着用者のウエスト周囲に位置するギャザーが形成されている前後のウエスト部が左右両端でそれぞれ接合固定されたパンツ型使い捨ておむつにおいて、
　上記吸収体の長手方向側縁の外側に位置し、着用者の脚部を実質的に連続して囲む左右一対の第１レッグギャザーと、
　該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、
　上記吸収体の吸収容量が３００ｇ／枚以上であり、
　一対の上記第２レッグギャザーは、それぞれ、帯状シートとその先端部に配置された弾性部材とにより構成されており、該帯状シートの一側縁部全体が上記表面シートに固定され、他側縁部全体に１６０％以上の伸縮率を有する該弾性部材が張設されて形成され、該帯状シートは、その表面が疎水化されており、
　上記吸収体の厚みが５ｍｍ以下であり、且つ上記第２レッグギャザーは高さが３０〜５０ｍｍであり、かつ上記一対の第１レッグギャザーが囲む脚部の内側の脚部に形成されることを特徴とするパンツ型使い捨ておむつ。
　【請求項２】上記第２レッグギャザーが着用者の脚部を実質的に連続して囲むことを特徴とする請求項１に記載のパンツ型使い捨ておむつ。」
に訂正する。
　イ　発明の詳細な説明の段落【０００８】の記載について、
「【課題を解決するための手段】本発明は、液透過性の表面シートと、液不透過性の防漏シートと、これら両シート間に位置する吸収体とを有し、着用者のウエスト周囲に位置する前後のウエスト部が左右両端でそれぞれ接合固定されたパンツ型使い捨ておむつにおいて、上記吸収体の長手方向側縁の外側に位置し、着用者の脚部を実質的に連続して囲む左右一対の第１レッグギャザーと、該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、上記吸収体の吸収容量が３００ｇ／枚以上であり、一対の上記第２レッグギャザーは、それぞれ、帯状シートとその先端部に配置された弾性部材とにより構成されており、該帯状シートの一側縁部全体が上記表面シートに固定され、他側縁部全体に該弾性部材が張設されて形成されており、該帯状シートは、その表面が疎水化されており、上記吸収体の厚みが５ｍｍ以下であり、且つ上記第２レッグギャザーの高さが２０〜５０ｍｍであることを特徴とするパンツ型使い捨ておむつを提供することにより上記目的を達成したものである。」
を、
「【課題を解決するための手段】本発明は、液透過性の表面シートと、液不透過性の防漏シートと、これら両シート間に位置する吸収体とを有し、着用者のウエスト周囲に位置するギャザーが形成されている前後のウエスト部が左右両端でそれぞれ接合固定されたパンツ型使い捨ておむつにおいて、上記吸収体の長手方向側縁の外側に位置し、着用者の脚部を実質的に連続して囲む左右一対の第１レッグギャザーと、該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、上記吸収体の吸収容量が３００ｇ／枚以上であり、一対の上記第２レッグギャザーは，それぞれ、帯状シートとその先端部に配置された弾性部材とにより構成されており、該帯状シートの一側縁部全体が上記表面シートに固定され、他側縁部全体に１６０％以上の伸縮率を有する該弾性部材が張設されて形成されており、該帯状シートは、その表面が疎水化されており、上記吸収体の厚みが５ｍｍ以下であり、且つ上記第２レッグギャザーは高さが２０〜５０ｍｍであり、かつ上記一対の第１レッグギャザーが囲む脚部の内側の脚部に形成されることを特徴とするパンツ型使い捨ておむつを提供することにより上記目的を達成したものである。」（「高さが２０〜５０ｍｍ」は「高さが３０〜５０ｍｍ」の明白な誤記と認める。）
に訂正する。
　ウ　発明の詳細な説明の段落【００２５】中の「実施品１」の記載について、
「吸収体の厚み５ｍｍとしたもを作成し」を、「吸収体の厚み５ｍｍとしたものを作成し」に訂正する。
　
２　訂正の目的の適否、新規事項の追加の有無及び特許請求の範囲の拡張・変更の存否
　アの訂正は、（i）訂正前の請求項１所定のパンツ型使い捨ておむつにおいて、前後のウエスト部にはギャザーが形成されていること、一対の第２レッグギャザーをそれぞれ構成する帯状シートの他側縁部全体に張設される弾性部材は、１６０％以上の伸縮率を有するものであること、同第２レッグギャザーの高さの下限が３０ｍｍであること及び同第２レッグギャザーは一対の第１レッグギャザーが囲む脚部の内側の脚部に形成されるものであることをさらに規定するとともに、（ii）請求項３を削除するものであるから、特許請求の範囲の減縮を目的とするものに該当する。
　イの訂正は、特許請求の範囲をアのように訂正したことに伴って、発明の詳細な説明の記載をこれに整合させるものであるから、明りょうでない記載の釈明を目的とするものに該当する。ウの訂正は、誤記の訂正を目的とするものに該当する。
　そして、ア〜ウの訂正は、訂正前の明細書の特許請求の範囲の請求項３並びに発明の詳細な説明の段落【００１５】、【００２１】、【００２２】及び図面の記載に基づくものであるから、これらの訂正は、願書に添付した明細書又は図面に記載した事項の範囲内においてされたものである。
　さらに、ア〜ウの訂正は、特許請求の範囲を実質上拡張するものでも変更するものでもない。
　
３　むすび
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法（以下「旧特許法」という。）第１２６条第第１項ただし書及び第２項の規定に適合するので、当該訂正を認める。
　
ＩＩＩ　特許異議の申立てについて
　
１　本件発明
　本件特許の請求項１ないし２に係る発明（以下、順に「第１発明」、「第２発明」という。）は、訂正明細書及び図面の記載から見て、その特許請求の範囲の請求項１ないし２に記載された前記ＩＩの１に摘記したとおりのものと認められるところ、請求項１は次のように構成Ａ〜Ｈに分説することができる。なお、構成Ｇにいう「第２レッグギャザーの高さ」とは、訂正明細書の段落【００２１】の記載及び図３〜４を参照すると、立設された第２レッグギャザーの、表面シートに固定された一側縁部から弾性部材が張設された他側縁部までの垂直距離を意味するものと認められる。
「【請求項１】
　Ａ　液透過性の表面シートと、液不透過性の防漏シートと、これら両シート間に位置する吸収体とを有し、着用者のウエスト周囲に位置するギャザーが形成されている前後のウエスト部が左右両端でそれぞれ接合固定されたパンツ型使い捨ておむつにおいて、
　Ｂ　上記吸収体の長手方向側縁の外側に位置し、着用者の脚部を実質的に連続して囲む左右一対の第１レッグギャザーと、
　Ｃ　該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、
　Ｄ　上記吸収体の吸収容量が３００ｇ／枚以上であり、
　Ｅ　一対の上記第２レッグギャザーは、それぞれ、帯状シートとその先端部に配置された弾性部材とにより構成されており、該帯状シートの一側縁部全体が上記表面シートに固定され、他側縁部全体に１６０％以上の伸縮率を有する該弾性部材が張設されて形成され、該帯状シートは、その表面が疎水化されており、
　Ｆ　上記吸収体の厚みが５ｍｍ以下であり、且つ
　Ｇ　上記第２レッグギャザーは高さが３０〜５０ｍｍであり、かつ上記一対の第１レッグギャザーが囲む脚部の内側の脚部に形成される
　Ｈ　ことを特徴とするパンツ型使い捨ておむつ。」
　
２　特許異議の申立ての理由の概要
（１）異議申立人甲は、後記の証拠方法を提出し、次の理由により、訂正前の請求項１ないし３に係る特許は取り消されるべきものであると主張している。
　「訂正前の請求項１ないし３に係る発明は、甲第１〜８号証の各刊行物に記載された発明に基づいて、本件出願前に当業者が容易に発明をすることができたものであるから、特許法第２９条第２項の規定により特許を受けることができないものである。」
　甲第１号証：特開平３−２８０９５１号公報（以下、「引用刊行物１」という。）
　甲第２号証：特開昭６１−２９３５１号公報（以下、「引用刊行物３」という。）
　甲第３号証：特開平３−１８５１６６号公報（以下、「刊行物Ａ」という。）
　甲第４号証：特開平２−３１７５５号公報（以下、「引用刊行物６」という。）
　甲第５号証：特開昭６３−２３５５０１号公報（以下、「引用刊行物７」という。）
　甲第６号証：米国特許第５,０２１,０５１号明細書（以下、「引用刊行物８」という。）
　甲第７号証：米国特許第４,８４０,６９２号明細書（以下、「刊行物Ｂ」という。）
　甲第８号証：特開昭６４−４５８０１号公報（以下、「刊行物Ｃ」という。）
（２）異議申立人乙は、後記の証拠方法を提出し、次の理由により、訂正前の請求項１ないし３に係る特許は取り消されるべきものであると主張している。
　「訂正前の請求項１ないし３に係る発明は、甲第１〜４号証の各刊行物に記載された発明に基づいて、本件出願前に当業者が容易に発明をすることができたものであるから、特許法第２９条第２項の規定により特許を受けることができないものである。」
　甲第１号証：特開平３−２８０９５１号公報（引用刊行物１と同じ。）
　甲第２号証：特開平３−２２２９４７号公報（以下、「引用刊行物４」という。）
　甲第３号証：特許第２５６５４９１号掲載公報（当該公報に係る特許出願の公開特許公報である特開昭６３−１２７０５号公報を以下、「引用刊行物２」という。）
　甲第４号証：特開昭６２−２５０２０１号公報（以下、「引用刊行物５」という。）
　
３　引用刊行物１〜８及び刊行物Ａ〜Ｃの記載内容
　当審では、特許の取消理由において、前記の引用刊行物１〜８を引用した。引用刊行物１〜８及び刊行物Ａ〜Ｃの記載内容は、およそ次のとおりである。
（１）引用刊行物１（特開平３−２８０９５１号公報）
　引用刊行物１の記載を図面（第１〜６図）を参照しながら総合すると、同刊行物には、次の発明（以下「引用発明」という。）が記載されていると認められる（第１発明における用語を用い、構成Ａ’〜Ｃ’、Ｅ’、Ｈ’に分けて記載した。）。なお、同刊行物３頁（通巻３４９頁）左下欄２〜３行には、第２レッグギャザーに関し、「カフ部材６は、透湿性かつ不透水性の一枚の不織布を折り返してスリーブを形成し」との記載があり、これは第２レッグギャザーを構成する帯状シートの表面が疎水化されていることを示しているものと認められる。
【引用発明】
「Ａ’液透過性の表面シートと、液不透過性の防漏シートと、これら両シート間に位置する吸収体とを有し、着用者のウエスト周囲に位置するギャザーが形成されている前後のウエスト部が左右両端でそれぞれ接合固定されたパンツ型使い捨ておむつにおいて、
　Ｂ’上記吸収体の長手方向側縁の外側に位置し、着用者の脚部を実質的に連続して囲む左右一対の第１レッグギャザーと、
　Ｃ’該一対の第１レッグギャザーと上記吸収体との間の位置に、該吸収体の長手方向側縁に沿って配置され、着用者の身体に向かってそれぞれ立設された一対の第２レッグギャザーとを備え、
　Ｅ’一対の上記第２レッグギャザーは、それぞれ、帯状シートとその先端部に配置された弾性部材とにより構成されており、該帯状シートの一側縁部全体が上記表面シートに固定され、他側縁部全体に該弾性部材が張設されて形成されており、該帯状シートは、その表面が疎水化されており、
　Ｇ’且つ上記第２レッグギャザーは上記一対の第１レッグギャザーが囲む脚部の内側の脚部に形成される
　Ｈ’パンツ型使い捨ておむつ。」
（２）引用刊行物２（特開昭６３−１２７０５号公報）
　引用刊行物２の記載を図面（第１〜３図）を参照しながら総合すると、同刊行物には、次の2a〜2bの事項が記載されていると認められる。
　2a　「展開型（又はフラット型。以下本決定において同じ。）使い捨ておむつにおいて、（吸収体の長手方向側縁の外側に位置し、着用者の脚部を実質的に連続して囲む左右一対の第１レッグギャザーの他に、）吸収体上の位置に、該吸収体の長手方向側縁に沿って配置され、着用者の身体に向かってそれぞれ立設された一対の第２レッグギャザーを備えること。」《特に４、６欄》
　2b　「前記一対の第２レッグギャザーの高さを３〜２０ｍｍとすること。」《特に５欄》
（３）引用刊行物３（特開昭６１−２９３５１号公報）
　引用刊行物３の記載を総合すると、同刊行物には、次の3aの事項が記載されていると認められる。
　3a　「使い捨ておむつにおいて、吸収体の吸収容量を４００〜５００ｇ／枚とすること。」《特に２８８頁表１。なお、２８７頁右下欄の実施例１において、「第四層の吸収材として坪量２０ｇ／ｍ2のポリエチレン・フイルムを使用した。」とあるのは、「第四層の非透液性外装材として坪量２０ｇ／ｍ2のポリエチレン・フイルムを使用した。」の誤記と認める。》
（４）引用刊行物４（特開平３−２２２９４７号公報）
　引用刊行物４の記載を総合すると、同刊行物には、次の4aの事項が記載されていると認められる。
　4a　「パンツ型使い捨ておむつにおいて、吸収体の目付量を１００〜７００ｇ／ｍ2、密度を０．０３３〜０．７ｇ／ｃｍ3にすること。」《特に３頁右上欄〜左下欄》
（５）引用刊行物５（特開昭６２−２５０２０１号公報）
　引用刊行物５の記載を図面（図１〜７）を参照しながら総合すると、同刊行物には、次の5aの事項が記載されていると認められる。
　5a　「展開型使い捨ておむつにおいて、（吸収体の長手方向側縁の外側に位置し、着用者の脚部を実質的に連続して囲む左右一対の第１レッグギャザーの他に、）該吸収体の長手方向側縁に沿って配置され、着用者の身体に向かってそれぞれ立設された一対の第２レッグギャザーの高さを５〜１０ｍｍとすること。」《特に９頁右上欄〜左下欄》
（６）引用刊行物６（特開平２−３１７５５号公報）
　引用刊行物６の記載を総合すると、同刊行物には、次の6aの事項が記載されていると認められる。
　6a  「展開型使い捨ておむつにおいて、嵩が１〜５ｍｍのシートを４枚重ね合わせ、吸収量に合わせたポリマーを散布して吸収体とすること。」《特に３頁右上欄〜左下欄》
（７）引用刊行物７（特開昭６３−２３５５０１号公報）
　引用刊行物７の記載を図面（第１〜５図）を参照しながら総合すると、同刊行物には、次の7a〜7bの事項が記載されていると認められる。
　7a　「展開型使い捨ておむつにおいて、吸収体の長手方向側縁に沿って配置され、着用者の身体に向かってそれぞれ立設された一対のレッグギャザーの高さを１５〜５０ｍｍとすること。」《特に５頁左上欄》
　7b　「前記一対のレッグギャザーを、それぞれ、帯状シートとその先端部に配置された弾性部材とにより構成し、該帯状シートは、その表面が疎水化されたものとすること。」《特に４頁右上欄》
（８）引用刊行物８（米国特許第５０２１０５１号明細書）
　引用刊行物８の記載を図面（図１〜４）を参照しながら総合すると、同刊行物には、次の8aの事項が記載されていると認められる。　
　8a　「展開型使い捨ておむつにおいて、（吸収体の長手方向側縁の外側に位置し、着用者の脚部を実質的に連続して囲む左右一対の第１レッグギャザーの他に、）該吸収体の長手方向側縁に沿って配置され、着用者の身体に向かってそれぞれ立設された一対の第２レッグギャザーの高さを５〜５０ｍｍとすること。」《特に９欄》
（９）刊行物Ａ（特開平３−１８５１６６号公報）
　刊行物Ａの記載を図面（第１〜５図）を参照しながら総合すると、同刊行物には、次の事項が記載されていると認められる。
　「衛生品に用いるため、見かけの厚み３．０ｍｍの吸収体を作成したこと。」《特に１頁左下欄下から２行、６頁表１》
（１０）刊行物Ｂ（米国特許第４,８４０,６９２号明細書）
　刊行物Ｂの記載を図面（第１〜２図）を参照しながら総合すると、同刊行物には、次の事項が記載されていると認められる。
　「使い捨ておむつにおいて、コア1の厚みを２〜１２ｍｍ、一般には３〜６ｍｍ、好ましくは５ｍｍとすること。繊維材料等の乾式載置法によって厚みが２〜７ｍｍ、好ましくは５ｍｍのパッドを得ること。吸収体コア1の下層の紙層3の下面に設けられる高吸収材層4にセルロースフラッフを用いると、全体の吸収容量を２００〜５００ｍｌに増加させることができること。」《特に、１欄１０〜１４行、２欄５５行〜３欄１０行、４欄１４〜１６行、５欄１３〜２０行、６欄５９行〜７欄２行》
（１１）刊行物Ｃ（特開昭６４−４５８０１号公報）
　刊行物Ｃの記載を図面（第１〜８図）を参照しながら総合すると、同刊行物には、次の事項が記載されていると認められる。
　「吸収性パッド12は、幅５６ｃｍ、長さ約８１ｃｍを有するエアフェルトバットとすること。吸収性パッド12に使用されるエアフェルトは、約１．１〜２．３ｍｍの非圧縮状態で大体均一なキャリパと、吸収性材料グラム当たり約８〜２０ｇの水吸収能力と、約０．０３〜０．０７ｇ／ｃｍ3の重量とを有すること。」《特に、５頁左上欄》
　
４　対比判断
（１）第１発明について
　第１発明と引用発明とを対比すると、引用発明の構成Ａ’〜Ｃ’、Ｈ’は順に第１発明の構成Ａ〜Ｃ、Ｈに一致するから、両者は次の相違点１〜３においてのみ相違すると認められる。
　【相違点１】第１発明では構成Ｄ、Ｆを備えている、すなわち「上記吸収体の吸収容量が３００ｇ／枚以上であり、上記吸収体の厚みが５ｍｍ以下であり」と規定するのに対し、引用発明ではこれに言及しない点。
　【相違点２】第１発明では構成Ｅにおいて、一対の第２レッグギャザーをそれぞれ構成する帯状シートの他側縁部全体に張設される弾性部材について、「１６０％以上の伸縮率を有する」と規定するのに対し、引用発明の構成Ｅ’ではこれに言及しない点。
　【相違点３】第１発明では構成Ｇにおいて、上記第２レッグギャザーについて、「高さが３０〜５０ｍｍであり」と規定するのに対し、引用発明の構成Ｇ’ではこれに言及しない点。
　そこで、相違点１について検討する。
　吸収体の吸収容量については、前記3aから、一般に、使い捨ておむつの吸収体の吸収容量を３００ｇ／枚以上とすることが知られる。
　しかし、吸収体の厚みについては、前記4aから、計算上は、パンツ型使い捨ておむつの吸収体の厚みを約０．１４〜２１ｍｍと算出することができるものの、これは、非常に小さい厚みの吸収体から非常に大きい厚みの吸収体までを広範に包含する数値であって、この計算値から直ちに、引用刊行物４に実際に使い捨ておむつの吸収体の厚みが５ｍｍ以下のものが開示されているものとは言い難い。また、前記6aでは、仮に、嵩が１ｍｍのシートを４枚重ね合わせたものを用いた場合でも、これに吸収量に合わせたポリマーを散布した後の吸収体の厚みは不明であるから、引用刊行物６に使い捨ておむつの吸収体の厚みが５ｍｍ以下のものが開示されているとは言えない。
　さらに、（i）刊行物Ａは、衛生品に用いるための吸収体の厚みを示すだけで、使い捨ておむつに用いるための吸収体の厚みについて教えず、（ii）刊行物Ｂは、吸収体の層構造を構成するコア1の厚みを２〜５ｍｍとすること又は繊維材料等の乾式載置法によって得られるパッドの厚みを２〜５ｍｍとすることを教えるものの、コア1、紙層3及び高吸収材層4からなる吸収体の厚みについて教えず、（iii）刊行物Ｃは、吸収性パッド12の厚みについて教えない。
　そうすると、使い捨ておむつにおける吸収体として、吸収容量が３００ｇ／枚以上でありながら、厚みが５ｍｍ以下であるものを用いることは、引用刊行物３、４、６及び刊行物Ａ〜Ｃには記載されておらず、またその記載から当業者が容易に想到し得るものでもないと言うべきである。一方、第１発明は、パンツ型使い捨ておむつにおいて、吸収体として、吸収容量が３００ｇ／枚以上であり、厚みが５ｍｍ以下であるものを用いること、つまり、相違点１に係る構成Ｄ、Ｆを備えることにより、他の構成と相まって、歩行モデルでの厳しい条件下でも高い吸収性を発揮するという、引用刊行物１〜８及び刊行物Ａ〜Ｃの記載からは到底予測することのできない顕著な作用効果を奏するものである。
　したがって、たとえ相違点２及び３に係る構成が引用刊行物２〜８の記載に基づいて当業者が容易に想到し得るものであるとしても、第１発明は、引用刊行物１〜８及び刊行物Ａ〜Ｃ（つまり異議申立人甲の提出した甲第１〜８号証及び異議申立人乙の提出した甲第１〜４号証の各刊行物）に記載された発明に基づいて本件出願前に当業者が容易に発明をすることができたものではない。
（２）第２発明について
　第２発明は、第１発明において、さらに、「上記第２レッグギャザーが着用者の脚部を実質的に連続して囲む」ことを限定するものであるところ、第１発明が引用刊行物１〜８及び刊行物Ａ〜Ｃに記載された発明に基づいて本件出願前に当業者が容易に発明をすることができたものではない以上、第２発明もこれらの刊行物に記載された発明に基づいて、本件出願前に当業者が容易に発明をすることができたものではないことは当然である。
（３）異議申立人乙の主張に対して
　異議申立人乙は、特許異議申立書第１２頁において、「使い捨ておむつにおいては、そもそもパンツ型であろうとなかろうと、その使用目的及び機能にかんがみ、排泄物の漏れ防止や着用感の向上などに配慮されるのは当然であり、またそのため、吸収体の材料としては、該吸収体を薄く形成すべく十分な吸収保持力を有するものが選択されることも当然であることから、二十数年前から、該材料の一つとして、水不溶にして自重の数十倍も吸収能力を有する高吸収性高分子材料が使用されるに至っていることは、周知の事実である。」と主張している。
　しかし、「使い捨ておむつにおいて、吸収体の材料としては、該吸収体を薄く形成すべく十分な吸収保持力を有するものが選択されることも当然である」との主張を裏付ける証拠はなく、また仮にそうであったとしても、「吸収容量が３００ｇ／枚以上であり、厚みが５ｍｍ以下である吸収体」をパンツ型使い捨ておむつに採用するという着想は、引用刊行物１〜８及び刊行物Ａ〜Ｃの記載からは得られない。
　
５　むすび
　以上のとおりであるから、特許異議申立ての理由及び証拠によっては本件請求項１及び２に係る特許を取り消すことはできない。また、他に、本件特許を取り消すべき理由を発見しない。
　したがって、本件特許は、拒絶の査定をしなければならない特許出願に対してされたものとは認められないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月２６日（２００３．２．２６）
【訂正の要旨】
▲１▼　特許請求の範囲の請求項１
「【請求項１】液透過性の表面シートと、液不透過性の防漏シートと、これら両シート間に位置する吸収体とを有し、着用者のウエスト周囲に位置する前後のウエスト部が左右両端でそれぞれ接合固定されたパンツ型使い捨ておむつにおいて、上記吸収体の長手方向側縁の外側に位置し、着用者の脚部を実質的に連続して囲む左右一対の第１レッグギャザーと、該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、上記吸収体の吸収容量が３００ｇ／枚以上であり、一対の上記第２レッグギャザーは、それぞれ、帯状シートとその先端部に配置された弾性部材とにより構成されており、該帯状シートの一側縁部全体が上記表面シートに固定され、他側縁部全体に該弾性部材が張設されて形成されており、該帯状シートは、その表面が疎水化されており、上記吸収体の厚みが５ｍｍ以下であり、且つ上記第２レッグギャザーの高さが２０〜５０ｍｍであることを特徴とするパンツ型使い捨ておむつ。
　【請求項２】上記第２レッグギャザーが着用者の脚部を実質的に連続して囲むことを特徴とする請求項１に記載のパンツ型使い捨ておむつ。
　【請求項３】上記前後のウエスト部には、ギャザーが形成されていることを特徴とする請求項１又は２記載のパンツ型使い捨ておむつ。
」を
「【請求項１】液透過性の表面シートと、液不透過性の防漏シートと、これら両シート間に位置する吸収体とを有し、着用者のウエスト周囲に位置する
ギャザーが形成されている前後の
　上記吸収体の長手方向側縁の外側に位置し、着用者の脚部を実質的に連続して囲む左右一対の第１レッグギャザーと、該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、上記吸収体の吸収容量が３００ｇ／枚以上であり、一対の上記第２レッグギャザーは、それぞれ、帯状シートとその先端部に配置された弾性部材とにより構成されており、該帯状シートの一側縁部全体が上記表面シートに固定され、他側縁部全体に
１６０％以上の伸縮率を有する
は
３０
り、かつ上記一対の第１レッグギャザーが囲む脚部の内側の脚部に形成される
　【請求項２】上記第２レッグギャザーが着用者の脚部を実質的に連続して囲むことを特徴とする請求項１に記載のパンツ型使い捨ておむつ。」と訂正する。
▲２▼本件明細書（段落番号【０００８】）
「【課題を解決するための手段】本発明は、液透過性の表面シートと、液不透過性の防漏シートと、これら両シート間に位置する吸収体とを有し、着用者のウエスト周囲に位置する前後のウエスト部が左右両端でそれぞれ接合固定されたパンツ型使い捨ておむつにおいて、上記吸収体の長手方向側縁の外側に位置し、着用者の脚部を実質的に連続して囲む左右一対の第１レッグギャザーと、該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、上記吸収体の吸収容量が３００ｇ／枚以上であり、一対の上記第２レッグギャザーは、それぞれ、帯状シートとその先端部に配置された弾性部材とにより構成されており、該帯状シートの一側縁部全体が上記表面シートに固定され、他側縁部全体に該弾性部材が張設されて形成されており、該帯状シートは、その表面が疎水化されており、上記吸収体の厚みが５ｍｍ以下であり、且つ上記第２レッグギャザーの高さが２０〜５０ｍｍであることを特徴とするパンツ型使い捨ておむつを提供することにより上記目的を達成したものである。」を
　「【課題を解決するための手段】本発明は、液透過性の表面シートと、液不透過性の防漏シートと、これら両シート間に位置する吸収体とを有し、着用者のウエスト周囲に位置する
ギャザーが形成されている前後の
１６０％以上の伸縮率を有する
は
り、かつ上記一対の第１レッグギャザーが囲む脚部の内側の脚部に形成される
▲３▼本件明細書（段落番号【００２５】）
「【００２５】次に、上述した実施例に基づいて実施品を作成し、比較品と比較実験をおこなった。
（実施品１）図３に示すように、第２レッグギャザー９を吸収体４と第１レッグギャザー６との間に位置させたものを作成し、第２レッグギャザー９の高さＨを４０ｍｍ、吸収体の吸収容量５００ｇ／枚、吸収体の厚み５ｍｍとしたもを作成し、実施品１を得た。
（実施品２）図４に示すように、第２レッグギャザー９を吸収体４上に配置させたものを作成し、第２レッグギャザーの高さＨを３０ｍｍ、吸収体の吸収容量５００ｇ／枚、吸収体の厚み５ｍｍとしたものを作成し、実施品２を得た。
（実施品３）図５に示すように、第１レッグギャザー６と第２レッグギャザー９を備え、第２レッグギャザーが実質的に連続して脚を囲むように配置させたものを作成し、ギャザーの高さ、吸収体を実施品１と同じとしたものを作成し、実施品３を得た。
（比較品１）背側のファスナーテープを腹側のターゲットテープに貼着して固定するフラットタイプの使い捨ておむつを作成し、比較品１を得た。この比較品１は、第１レッグギャザー及び第２レッグギャザー両方を備え、他の点においては実施品１と同様の構成とした。
（比較品２）第１レッグギャザーのみを有するパンツ型使い捨ておむつを作成し、比較品２を得た。この比較品２における第１レッグギャザーの構成及び、その他の構成については上述した実施品１と同様の構成とした。
（比較品３）第２レッグギャザーのみを有するパンツ型使い捨ておむつを作成し比較品３を得た。この比較品３における第２レッグギャザーの構成及び、その他の構成については、上述した実施品１と同様の構成とした。」を
「【００２５】次に、上述した実施例に基づいて実施品を作成し、比較品と比較実験をおこなった。
（実施品１）図３に示すように、第２レッグギャザー９を吸収体４と第１レッグギャザー６との間に位置させたものを作成し、第２レッグギャザー９の高さＨを４０ｍｍ、吸収体の吸収容量５００ｇ／枚、吸収体の厚み５ｍｍとしたも
の
（実施品２）図４に示すように、第２レッグギャザー９を吸収体４上に配置させたものを作成し、第２レッグギャザーの高さＨを３０ｍｍ、吸収体の吸収容量５００ｇ／枚、吸収体の厚み５ｍｍとしたものを作成し、実施品２を得た。
（実施品３）図５に示すように、第１レッグギャザー６と第２レッグギャザー９を備え、第２レッグギャザーが実質的に連続して脚を囲むように配置させたものを作成し、ギャザーの高さ、吸収体を実施品１と同じとしたものを作成し、実施品３を得た。
（比較品１）背側のファスナーテープを腹側のターゲットテープに貼着して固定するフラットタイプの使い捨ておむつを作成し、比較品１を得た。この比較品１は、第１レッグギャザー及び第２レッグギャザー両方を備え、他の点においては実施品１と同様の構成とした。
（比較品２）第１レッグギャザーのみを有するパンツ型使い捨ておむつを作成し、比較品２を得た。この比較品２における第１レッグギャザーの構成及び、その他の構成については上述した実施品１と同様の構成とした。
（比較品３）第２レッグギャザーのみを有するパンツ型使い捨ておむつを作成し比較品３を得た。この比較品３における第２レッグギャザーの構成及び、その他の構成については、上述した実施品１と同様の構成とした。」と訂正する。
（５４）【発明の名称】
パンツ型使い捨ておむつ
（５７）【特許請求の範囲】
　【請求項１】液透過性の表面シートと、液不透過性の防漏シートと、これら両シート間に位置する吸収体とを有し、着用者のウエスト周囲に位置する
ギャザーが形成されている前後の
　上記吸収体の長手方向側縁の外側に位置し、着用者の脚部を実質的に連続して囲む左右一対の第１レッグギャザーと、
　該一対の第１レッグギャザーと上記吸収体との間の位置又は上記吸収体上の位置に、該吸収体の長手方向側縁に沿って配置され、着用者の身体に向かってそれぞれ立設された一対の第２レッグギャザーとを備え、
　上記吸収体の吸収容量が３００ｇ／枚以上であり、
　一対の上記第２レッグギャザーは、それぞれ、帯状シートとその先端部に配置された弾性部材とにより構成されており、該帯状シートの一側縁部全体が上記表面シートに固定され、他側縁部全体に
１６０％以上の伸縮率を有する
　上記吸収体の厚みが５ｍｍ以下であり、且つ上記第２レッグギャザー
は
３０
り、かつ上記一対の第１レッグギャザーが囲む脚部の内側の脚部に形成される
　【請求項２】上記第２レッグギャザーが着用者の脚部を実質的に連続して囲むことを特徴とする請求項１に記載のパンツ型使い捨ておむつ。
【発明の詳細な説明】
　【０００１】
　【産業上の利用分野】
　本発明は、液透過性の表面シートと、液不透過性の防漏シートと、これら両シート間に位置する吸収体と、該吸収体の周囲に位置する前後のウエスト部とを有し、該前後のウエスト部が左右両端でそれぞれ接合固定されたパンツ型使い捨ておむつに関する。
　【０００２】
　【従来の技術】
　一般に、パンツ型おむつは、特開昭６１−２０７６０５号公報に開示されているように、液透過性の表面シートと、液不透過性の防漏シートと、これら両シート間に介在された吸収体とから構成された縦長の本体を備え、該本体の長手方向に沿う両側に形成された左右一対のサイドフラップにおいて、腹側部と背側部とを互いに接合固定して、左右一対のレッグ開口部及び一つのウエスト開口部が形成されており、通常、着用者自らが立位の状態で着用することができるので、幼児の「おむつ離れ」を促進するためのトイレットトレーニング用として、または失禁者用もしくは歩行可能な成人用として用いられている。
　【０００３】
　この種のパンツ型おむつは、一対のレッグ開口部にそれぞれ弾性部材を配置してかかる部分に伸縮自在なレッグギャザー（第１レッグギャザー）を形成して、レッグ開孔部からの排泄物の漏れを防止している。
　【０００４】
　【発明が解決しようとする課題】
　しかし、パンツ型おむつにおける従来のレッグギャザーでは、テープファスナーを用いるフラット型のおむつに比べ、隙間による漏れが生じにくいものの未だ十分とはいえない。即ち、吸収体からオーバーフローした尿又は便（特に軟便、下痢便）の漏れを防止する事は可能だが、吸収体からレッグギャザーまでの距離がはなれているため、吸収体とレッグギャザーとの間にある排泄物を再び吸収体に吸収させることは困難であり、レッグギャザー付近に吸収体に吸収されずに残った排泄物が溜まってしまうという不都合があった。
　【０００５】
　このようにレッグギャザー付近に排泄物が溜まってしまうと、幼児の歩行や走行または活発な動き等によりレッグギャザーにわずかな隙間が生じた場合、漏れを生じるという不都合がある。特に、幼児の歩行時等には該おむつ全体を下方に押し下げる力が作用して、おむつのずれ落ち等によりレッグギャザーに間隙を生じて排泄物の漏れが生じる場合がある。
　【０００６】
　また、排泄物がレッグギャザー付近に留まっていると皮膚に排泄物が直接接触し、「かぶれ」の原因にもなるという不都合がある。かかる不都合を解消するためには、上記レッグギャザーに換えて吸収体の側縁付近のみに身体方向に向かって立設するギャザーを設ける構成が考えられる。しかし、かかるレッグギャザーのみでは、例えば砂時計型の吸収体等のように、股間幅が狭い場合には、吸収体上に排泄物を保持する空間が狭く、大量の尿や下痢便等では該ギャザーを越えて排泄物が漏れ出てしまうという欠点がある。
　【０００７】
　従って、本発明の目的は、レッグ部からの漏れを確実に防止することができるパンツ型使い捨ておむつを提供することにある。
　【０００８】
　【課題を解決するための手段】
　本発明は、液透過性の表面シートと、液不透過性の防漏シートと、これら両シート間に位置する吸収体とを有し、着用者のウエスト周囲に位置する
ギャザーが形成されている前後の
１６０％以上の伸縮率を有する
は
り、かつ上記一対の第１レッグギャザーが囲む脚部の内側の脚部に形成される
　【０００９】
　【作用】
　本発明によるパンツ型使い捨ておむつによれば、着用中に多量に排泄された排泄物は、第２ギャザーにて吸収体上に又は吸収体付近に保持され、時間を経て吸収体に吸収させることができる。従って、排泄物が吸収されずに残り、これが直接肌に触れるということがほとんどない。また、仮に、多量の排泄物が排泄されて第２ギャザーでは保持しきれずに、溢れでた場合には、第１ギャザーにより使い捨ておむつからの漏れが防止される。更に、第２ギャザーも実質的に連続しているならば、第１、第２ギャザーが相乗して、漏れを防止するので効果は更に大きくなる。
　【００１０】
　【実施例】
　以下に、添付図面の図１〜図３を参照して、本発明のパンツ型使い捨ておむつの実施例を詳細に説明する。尚、図１は本発明の実施例によるパンツ型使い捨ておむつの斜視図、図２は図１に示すパンツ型使い捨ておむつを展開した状態を示す平面図、図３は図１に示すパンツ型使い捨ておむつの要部の断面図である。
　【００１１】
　本実施例のパンツ型使い捨ておむつ１は、液透過性の表面シート２と、液不透過性の防漏シート３と、これら両シート間に位置する吸収体４とを有し、着用者のウエスト周囲に位置する、該前後のウエスト部５ａ、５ｂが左右両端でそれぞれ接合固定されたパンツ型使い捨ておむつにおいて、該吸収体４の長手方向側縁の外側に位置し、着用者の脚部を実質的に連続して囲む左右一対の第１レッグギャザー８、８と、該一対の第１レッグギャザー８、８と上記吸収体４との間の位置又は上記吸収体上４の位置に、該吸収体４の長手方向の縁に沿って配置され、着用時に着用者の身体に向かってそれぞれ立設された一対の第２レッグギャザー９、９とを備えることを特徴とする。
　【００１２】
　本実施例のパンツ型使い捨ておむつにおける表面シート２、防漏シート３、吸収体４、ウエスト部の原料等は、特に限定されず、通常のパンツ型使い捨ておむつに用いられるものが用いられるが、具体的には、下記するようなものが用いられる。上記表面シート２は、液透過性シートで肌着に近い感触を有したものが好ましく、このような液透過性シートとしては、例えば、織布、不織布、多孔性フィルム等が好ましい。
　【００１３】
　上記防漏シート３は、熱可塑性樹脂にフィラーを加えて延伸した液不透過性且つ蒸気を透過させる蒸気透過性のフィルムシート１０、または繊維集合体が用いられる。上記吸収体４は、略中央がくびれた砂時計型形状に形成されていることが好ましい。また、その吸収容量が３００ｇ／枚以上であり、好ましくは、５００ｇ／枚以上である。３００ｇ／枚より少ないと尿の吸収が十分にできないからである。
　【００１４】
　吸収体４の厚みは、５ｍｍ以下であり、好ましくは３ｍｍ以下である。５ｍｍより大きいと嵩張るとともに、身体へのフィット性を悪化させギャザーと身体の間に隙間を生じさせ漏れにつながるからである。かかる吸収体４の材料としては、解繊パルプを主材とし、高分子吸水ポリマーを併用したものが好ましく、その他、熱可塑性樹脂、セルロース繊維、あるいは高分子吸水ポリマーの混合物に熱処理したものが好ましい。高分子吸水ポリマーの存在位置は上層、中層、下層のいずれであってもよく、パルプと混合したものであってもよい。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００１５】
　前後のウエスト部５ａ、５ｂは、図２に示す展開状態から、該ウエスト部５ａ、５ｂの左右両端を夫々接合固定して、図１に示すようなパンツ型を形成し、ウエスト部５と、左右一対のレッグ部６、６とを形成するようになっている。。前後のウエスト部５ａ、５ｂには、ウエスト部用弾性部材１１ａ、１１ｂが配置され、パンツ型のウエスト部５にウエストギャザー１２を形成するようになっている。
　【００１６】
　次に、本発明の特徴である第１レッグギャザー８、８及び第２レッグギャザー９、９について説明する。第１レッグギャザー８、８は、左右のレッグ部６、６のそれぞれに配置された第１弾性部材７、７が伸縮して形成されている。かかる第１レッグギャザー８、８は、着用者の股下付近における脚部周囲を実質的に連続して囲むを弾性的にフィットさせ、レッグ部６、６からの漏れを防止するようになっている。
　【００１７】
　第１弾性部材７、７としては、１５０％以上の伸縮率を有し、天然ゴム、合成ゴム、発泡ポリウレタンなどからなる複数本の糸状体または帯状体が用いられる。第２レッグギャザー９、９は、一対の第１レッグギャザー８、８と上記吸収体４との間の位置又は上記吸収体上４の位置に、該吸収体４の長手方向の縁に沿って配置され、着用時に着用者の身体に向かって立設するようになっている。
　【００１８】
　即ち、第２レッグギャザー９、９は、第１弾性部材７、７と吸収体４との間の位置または吸収体４の上の位置（本実施例では第１弾性部材７、７と吸収体４との間の位置）に配置されているが、かかる第２レッグギャザー９、９は、帯状シート１３、１３とその先端部に配置された第２弾性部材１４とにより構成されている。
　【００１９】
　帯状シート１３、１３は、吸収体４の長手方向に沿ってその周縁と第１レッグギャザー８、８との間に帯状に配置され、その一側縁部全体が表面シート２に固定されており、他側縁部全体には第２弾性部材１４、１４が張設されている。該帯状シート１３、１３は、本実施例では、吸収体４の長手方向の一端から他端まで延出し、レッグ部６、６の凹形状に沿って若干湾曲して配置されているが、吸収体４より長くてもまたは短くてもよい。また、帯状シート１３、１３の幅は２０ｍｍ〜６０ｍｍが好ましく、特に３０ｍｍ〜５０ｍｍが好ましいが、立設状態における高さに応じて決定される。
　【００２０】
　帯状シート１３、１３としては、表面が疎水化されているシートが用いられ、該シートとしては、ポリエステル、ポリオレフィンあるいはレーヨン繊維等の単一又は複合された不織布（乾式、湿式）あるいはポリオレフィンフィルムとのラミネートシート等が用いられるが、好ましくは表面シート２と同じ材料のシートを用いる。また、帯状シート１３、１３の一側縁部は、表面シート２に固定されているが、固定方法は熱融着、接着剤等により接着固定されている。
　【００２１】
　帯状シートの他側部に配置される第２弾性伸縮部材１４、１４は、第１弾性伸縮部材７、７と同様に、１６０％以上の伸縮率を有し、天然ゴム、合成ゴム、発泡ポリウレタンなどからなる複数本の糸状体としてまたは帯状体として連続的に接合されている。かかる構成のパンツ型使い捨ておむつによれば、図１に示すように、パンツ型を形成した際に、第１レッグギャザー８、８の内側に第２レッグギャザー９を形成するが、第２レッグギャザー９、９の高さＨは、２０ｍｍ〜５０ｍｍ、好ましくは３０ｍｍ〜４０ｍｍである。２０ｍｍより小さいと排泄物の十分な保持ができなくなり、５０ｍｍより大きいと着用中に嵩張るからである。
　【００２２】
　次に、本実施例の作用について説明する。図１に示すパンツ型の状態で、着用者の足をウエスト部５ａ、５ｂ、続いてレッグ部６、７に通して引き上げて着用する。これによって、着用者の脚部の略全周囲に第１レッグギャザー６、６が形成され、その内側（股側）の脚部に第２レッグギャザー９、９が形成される。
　【００２３】
　着用中の状態では、着用者が排泄物を排泄すると、排泄物は表面シート２を介して、吸収体４に吸収される。一方、即に吸収体４に吸収できないような多量の排泄物または軟便等の場合には、表面シート２上に残留する。かかる場合、第２レッグギャザー９、９が堰を形成し、排泄物を吸収体上または吸収体４近傍に保持する。これによって、堰に溜まった排泄物を時間をかけて吸収体４に吸収させることができる。
　【００２４】
　また、たとえ、排泄物が、第２ギャザー９、９から溢流しても第１ギャザー６、６によりおむつからの排泄物の漏れは確実に防止される。本発明は上述した実施例に限定されることなく、本発明の要旨を逸脱しない範囲で種々変形可能である。例えば、図４に示すように、第２レッグギャザー９、９は吸収体３の上方に配置するものであってもよい。この場合、排泄物は確実に吸収体３上に保持することができる。
　【００２５】
　次に、上述した実施例に基づいて実施品を作成し、比較品と比較実験をおこなった。
（実施品１）図３に示すように、第２レッグギャザー９を吸収体４と第１レッグギャザー６との間に位置させたものを作成し、第２レッグギャザー９の高さＨを４０ｍｍ、吸収体の吸収容量５００ｇ／枚、吸収体の厚み５ｍｍとしたも
の
（実施品２）図４に示すように、第２レッグギャザー９を吸収体４上に配置させたものを作成し、第２レッグギャザーの高さＨを３０ｍｍ、吸収体の吸収容量５００ｇ／枚、吸収体の厚み５ｍｍとしたものを作成し、実施品２を得た。
（実施品３）図５に示すように、第１レッグギャザー６と第２レッグギャザー９を備え、第２レッグギャザーが実質的に連続して脚を囲むように配置させたものを作成し、ギャザーの高さ、吸収体を実施品１と同じとしたものを作成し、実施品３を得た。
（比較品１）背側のファスナーテープを腹側のターゲットテープに貼着して固定するフラットタイプの使い捨ておむつを作成し、比較品１を得た。この比較品１は、第１レッグギャザー及び第２レッグギャザー両方を備え、他の点においては実施品１と同様の構成とした。
（比較品２）第１レッグギャザーのみを有するパンツ型使い捨ておむつを作成し、比較品２を得た。この比較品２における第１レッグギャザーの構成及び、その他の構成については上述した実施品１と同様の構成とした。
（比較品３）第２レッグギャザーのみを有するパンツ型使い捨ておむつを作成し比較品３を得た。この比較品３における第２レッグギャザーの構成及び、その他の構成については、上述した実施品１と同様の構成とした。
　【００２６】
　上述した実施品と比較品とについて、下記する吸収量の試験を行った。該吸収量の試験は、歩行可能なベビーモデルに上記実施品及び比較品を装着し、７２０歩／分、２０分間歩行させた後、横寝状態で排尿し、その排尿が漏れるまでの最大吸収量を測定した。その結果を下記表１に示す。
　【００２７】
　【表１】
表１から明らかなように、本発明による実施品によれば、いずれも最大吸収量が２００ｇ以上であり、比較品が１２０ｇ以下であることから、本発明による実施品によれば、比較品の約２倍以上の排尿を吸収するまで排尿漏れを防止することができ、これにより、吸収体による吸収能を最大限発揮することができる。
　【００２８】
　【発明の効果】
　本発明のパンツ型使い捨ておむつによれば、レッグ部からの漏れを容易に防止することができる。
【図面の簡単な説明】
　【図１】本発明の実施例によるパンツ型使い捨ておむつの斜視図である。
　【図２】図１に示すパンツ型使い捨ておむつを展開した状態を示す平面図である。
　【図３】図１に示すパンツ型使い捨ておむつの要部の断面図である。
　【図４】本発明の他の実施例によるパンツ型使い捨ておむつの断面図である。
　【図５】本発明の更に他の実施例によるパンツ型使い捨ておむつの断面図である。
　【符号の説明】
　１　パンツ型使い捨ておむつ
　２　表面シート
　３　裏面シート
　４　吸収体
　８　第１レッグギャザー
　９　第２レッグギャザー